(57)【要約】【課題】            少ない部品点数で高い保持力をもってアンテナを取り付けることができ、さらに、アンテナと回路基板との電気的接触が安定するアンテナ取付構造を有する通信端末装置およびその組立方法を提供すること。【解決手段】          互いに重ね合わされて筐体を構成する第１及び第２の筐体１ａ，１ｂと、筐体に内蔵され弾性を備えるサブアンテナ４と、筐体に内蔵される回路基板２と、回路基板２上に形成された回路パターン２ａと、サブアンテナ４に形成された穴４ａと、筐体の内部に設けられ穴４ａを弾性変形させながら穴４ａと嵌合するサブアンテナ４取付用のボス３と、サブアンテナ４の先端が湾曲され該湾曲された部分の外側が回路パターン２ａに所定の圧力をもって電気的に接触する接触部４ｃと、を有する。【選択図】            図２
2005295116.tif 000002
【特許請求の範囲】
【請求項１】
筐体と、
前記筐体に内蔵され、弾性を備えるアンテナと、
前記筐体に内蔵される回路基板と、
前記回路基板上に形成された回路パターンと、
前記アンテナに形成された穴と、
前記筐体の内部に設けられ前記穴を弾性変形させながら該穴と嵌合する前記アンテナ取付用のボスと、
前記アンテナの少なくとも一部が湾曲され該湾曲された部分の外側が前記回路パターンに所定の圧力をもって電気的に接触する接触部と、
を有する、ことを特徴とする通信端末装置。
【請求項２】
前記穴は前記アンテナの波状に変形された中間部に形成され、前記接触部が前記アンテナの先端に形成されることを特徴とする請求項１記載の通信端末装置。
【請求項３】
前記ボスは前記穴から突出して、前記アンテナの前記湾曲された部分の内側と所定のクリアランスをもって対向するよう設定され、
前記ボスが、前記湾曲された部分の変形限度を規定するストッパ部となることを特徴とする請求項１又は２記載の通信端末装置。
【請求項４】
前記アンテナにおいて前記穴の周囲ないし該穴に近接して形成され、該穴の変形度を高める切り欠きを有することを特徴とする請求項１〜３のいずれか一記載の通信端末装置。
【請求項５】
前記切り欠きが、前記穴を挟んで対向するよう形成された一対の切り欠きであることを特徴とする請求項４記載の通信端末装置。
【請求項６】
前記穴と前記ボスが複数設けられたことを特徴とする請求項１〜５のいずれか一記載の通信端末装置。
【請求項７】
複数の前記穴が、互いに直交する方向に延在する複数の長穴から構成されることを特徴とする請求項６記載の通信端末装置。
【請求項８】
前記複数の長穴のうち、一方の該長穴が前記アンテナを該アンテナの幅方向に位置決めする嵌合用穴であり、他方の長穴が該アンテナを該アンテナの長手方向に位置決めするストッパー用穴であることを特徴とする請求項７記載の通信端末装置。
【請求項９】
複数の前記穴が前記アンテナの幅方向に対向する一対の穴であり、前記一対の穴の間に該穴の変形度を高める切り欠きが形成されたことを特徴とする請求項６記載の通信端末装置。
【請求項１０】
前記一対の穴の内法幅よりも、該一対の穴に嵌合する一対のボスの内法幅が広いことを特徴とする請求項９記載の通信端末装置。
【請求項１１】
前記通信端末装置が携帯電話であり、前記アンテナがサブアンテナであることを特徴とする請求項１〜１０のいずれか一記載の通信端末装置。
【請求項１２】
第１の筐体と第２の筐体を重ね合わせて通信端末装置の筐体を構成し、前記筐体に穴と
湾曲部を備え弾性を有するアンテナを内蔵する通信端末装置の組立方法であって、
前記アンテナの前記穴を前記第１の筐体に設けられたボスに圧力をもって嵌合して前記アンテナを前記第１の筐体に取り付ける工程と、
前記第２の筐体に内蔵された回路基板上の回路パターンに、前記アンテナの前記湾曲された接触部が圧力をもって接触するよう前記第１の筐体と該第２の筐体とを重ね合わせる工程と、
を含む、ことを特徴とする通信端末装置の組立方法。
【発明の詳細な説明】
【技術分野】
【０００１】
本発明は、通信端末装置及びその組立方法に関し、特に中でも、携帯電話のサブアンテナ取りつけ構造に関する。
【背景技術】
【０００２】
図７は、従来例に係る携帯電話のサブアンテナの取付構造を説明するための分解図である。
【０００３】
図７を参照すると、第１の筐体７１ａと第２の筐体７２ａが重ね合わせられることにより、一つの筐体が形成される。第１の筐体７１ａ側には、サブアンテナ７４の一面が両面接着テープを用いて接着される。第２の筐体７１ｂ側には、回路基板７２が取り付けられている。回路基板７２上には、ばね性を有する接触部品７４ａがはんだ付けされている。組立時、サブアンテナ７４が接着された第１の筐体７１ａを第２の筐体７１ｂに重ね合わせることにより、サブアンテナ７４が接触部品７４ａに接触し、サブアンテナ７４と回路基板７２との導通が図られる。
【０００４】
特許文献１には、板状内蔵アンテナの長手方向に並んで形成された取付穴に筐体凸部を圧入し、さらに別のロック爪によって板状内蔵アンテナが筐体に固定され、又板状内蔵アンテナの基底部に設けられた弾性部が筐体に内蔵されているプリント基板の電気的接点と結合している、コードレス電話機が開示されている。
【０００５】
【特許文献１】特開２０００−１１４８３２（段落００２３、図２）
【発明の開示】
【発明が解決しようとする課題】
【０００６】
図７に示した従来例に係る携帯電話のサブアンテナの取付構造は、接触部品７４ａなどの部品点数が多くコストに影響を与えるデメリットがある。
【０００７】
また、特許文献１のコードレス電話機における板状内蔵アンテナの取付構造は、弾性部とプリント基板の電気的接点との接触が不安定であるという問題がある。
【０００８】
本発明は、少ない部品点数で高い保持力をもってアンテナを取り付けることができ、さらに、アンテナと回路基板との電気的接触が安定するアンテナ取付構造を有する通信端末装置及びその組立方法を提供することを目的とする。
【課題を解決するための手段】
【０００９】
本発明は、第１の視点において、筐体と、前記筐体に内蔵され、弾性を備えるアンテナと、前記筐体に内蔵される回路基板と、前記回路基板上に形成された回路パターンと、前記アンテナに形成された穴と、前記筐体の内部に設けられ前記穴を弾性変形させながら該穴と嵌合する前記アンテナ取付用のボスと、前記アンテナの少なくとも一部が湾曲され該湾曲された部分の外側が前記回路パターンに所定の圧力をもって電気的に接触する接触部と、を有する、ことを特徴とする通信端末装置を提供する。
【００１０】
本発明は、第２の視点において、第１の筐体と第２の筐体を重ね合わせて通信端末装置の筐体を構成し、前記筐体に穴と湾曲された接触部を備え弾性を有するアンテナを内蔵する通信端末装置の組立方法であって、前記アンテナの前記穴を前記第１の筐体に設けられたボスに圧力をもって嵌合して前記アンテナを前記第１の筐体に取り付ける工程と、前記第２の筐体に内蔵された回路基板上の回路パターンに、前記アンテナの前記湾曲された接触部が圧力をもって接触するよう前記第１の筐体と該第２の筐体とを重ね合わせる工程と、を含む、ことを特徴とする通信端末装置の組立方法を提供する。
【発明の効果】
【００１１】
本発明によれば、筐体に内蔵されるアンテナに穴を設け、筐体側にその穴を押し広げるようなボスを形成することにより、両面テープや他の部品でアンテナを抑えることなしに筐体への取り付けが可能となる。さらに、本発明によれば、アンテナ素材のばね性を利用すると共に構造的にもばね性を高めた部分を回路基板に接触させることにより、回路基板側に特別の部材を設けなくとも、アンテナと回路基板との接触が確実になる。結局、本発明によれば、アンテナの筐体への取り付け及びアンテナの回路基板との電気的接合が、アンテナ素材の弾性及び構造を利用することにより、アンテナのみによって、取り付けに関しても電気的接合に関しても別の部品を用いることなく達成される。
【発明を実施するための最良の形態】
【００１２】
本発明の好ましい実施の形態によれば、前記穴は前記アンテナの波状に変形された中間部に形成され、前記接触部が前記アンテナの先端に形成される。
【００１３】
本発明の好ましい実施の形態によれば、前記ボスは前記穴から突出して、前記アンテナの前記湾曲された部分の内側と所定のクリアランスをもって対向するよう設定され、前記ボスが、前記湾曲された部分の変形限度を規定するストッパ部となる。すなわち、筐体側のボスの高さは、アンテナが回路パターンに接触の際に弾性変形内で止まるよう考慮されている。
【００１４】
本発明の好ましい実施の形態によれば、前記アンテナにおいて前記穴の周囲ないし該穴に近接して形成され、該穴の変形度を高める切り欠きを有する。これによって、アンテナ取付上必要とされる保持力がさらに十分に確保される。
【００１５】
本発明の好ましい実施の形態によれば、前記切り欠きが、前記穴を挟んで対向するよう形成された一対の切り欠きである。
【００１６】
本発明の好ましい実施の形態は、前記穴と前記ボスが複数設けられたことを特徴とする。
【００１７】
本発明の好ましい実施の形態によれば、複数の前記穴が、互いに直交する方向に延在する複数の長穴から構成される。
【００１８】
本発明の好ましい実施の形態によれば、前記複数の長穴のうち、一方の該長穴が前記アンテナを該アンテナの幅方向に位置決めする嵌合用穴であり、他方の長穴が該アンテナを該アンテナの長手方向に位置決めするストッパー用穴である。
【００１９】
本発明の好ましい実施の形態によれば、複数の前記穴が前記アンテナの幅方向に対向する一対の穴であり、前記一対の穴の間に該穴の変形度を高める切り欠きが形成される。好ましくは、前記一対の穴の内法幅よりも、該一対の穴に嵌合する一対のボスの内法幅が広いことを特徴とする。
【実施例１】
【００２０】
本発明をより詳しく説述するため、添付図面を参照して、本発明の一実施例を以下に説明する。
【００２１】
図１（Ａ）〜図１（Ｃ）は、本発明の一実施例に係る通信端末装置の分割図であり、図１（Ａ）は第１の筐体、図１（Ｂ）は第２の筐体、図１（Ｃ）はサブアンテナを示している。
【００２２】
図１（Ａ）〜図１（Ｃ）を参照すると、第１の筐体１ａには、弾性を有するサブアンテナ４を取り付けるためのボス３が設けられている。第２の筐体１ｂには、回路基板２が取り付けられている。第１の筐体１ａと第２の筐体１ｂを互いに重ね合わせることにより、通信端末装置の筐体が組立てられ、サブアンテナ４及び送受信回路等を搭載した回路基板２が内蔵される。
【００２３】
サブアンテナ４の中間部は波状に変形され、該中間部に穴４ａが形成されている。サブアンテナの先端は湾曲され、この湾曲された部分の外側が回路基板２上の回路パターン２ａと所定の圧力をもって電気的に接触する接触部４ｃとなる。
【００２４】
さらに、サブアンテナ４の取り付け状態、さらに、サブアンテナと回路基板との接触状態について説明する。
【００２５】
図２（Ａ）は、図１（Ａ）に示した第１の筐体に図１（Ｃ）に示したサブアンテナを取り付けた状態を示す図であり、図２（Ｂ）は図２（Ａ）の矢視Ａ拡大図である。
【００２６】
図２（Ａ）及び図２（Ｂ）を参照すると、サブアンテナ４を第１の筐体１ａに取り付ける際、サブアンテナ４の穴４ａを、第１の筐体１ａに設けられたボス３に圧力をもって嵌合する。穴４ａの穴径はボス３の外径よりも小さく形成され、又サブアンテナ４は弾性を有する。これによって、サブアンテナ４は、所定の保持力で第１の筐体１ａに取り付けられる。好ましくは、図２（Ｂ）に示すように、穴４ａの周囲にサブアンテナ４の長手方向に延在する一対の切り欠き６ａ，６ｂを形成することにより、ボス３挿入時の穴４の変形量を拡大し、前記保持力をさらに高めることができる。
【００２７】
次に、サブアンテナ４と図１（Ｂ）に示した回路基板２上の回路パターン２ａとの接触状態について説明する。
【００２８】
図１（Ｂ）に示した第２の筐体１ｂには回路基板２が取り付けられ、回路基板２上には、組立時、サブアンテナの接触部４ｃが接触する位置に回路パターン２ａが形成されている。第１の筐体１ａと第２の筐体１ｂを重ね合わせると、弾性を有するサブアンテナ４の湾曲された接触部４ｃが第２の筐体１ｂ側の回路パターン２ａに、所定の圧力をもって接触する。サブアンテナ４が弾性を有する素材であり、且つ湾曲された先端に接触部４ｃが形成されていることにより、十分な接触圧力が得られる。
【００２９】
図３は、前記実施例１に基づく本発明の好ましい実施例に係る通信端末装置の部分図であり、ボスがサブアンテナの湾曲された部分の変形限度を規定するストッパ部となる様子を示す図である。
【００３０】
図３を参照すると、第１の筐体１ａ側に設けられるボス３は、組立状態で、サブアンテナ４の穴４ａから突出して、サブアンテナ４の前記湾曲された部分の内側ないし接触部４ｃの裏側と所定のクリアランスＬをもって対向するよう設定されている。
【００３１】
この形態によれば、ボス３が、サブアンテナ４の前記湾曲された部分ないし接触部４ｃの変形限度を規定するストッパ部となる。すなわち、筐体側のボス３の高さは、サブアンテナ４が回路パターン２ａに接触の際に弾性変形内で止まるよう考慮されている。
【００３２】
本発明の好ましい実施の形態によれば、前記アンテナにおいて前記穴の周囲ないし該穴に近接して形成され、該穴の変形度を高める切り欠きを有する。これによって、アンテナ取付上必要とされる保持力がさらに十分に確保される。
【実施例２】
【００３３】
図４は、本発明の実施例２に係り、サブアンテナの穴及び切り欠きの好ましい形状を説明するための図である。
【００３４】
図４を参照すると、切り欠きが、図１（Ｃ）に示したようなサブアンテナ４の穴４ａを挟んで対向するよう形成された一対の切り欠き６ａ，６ｂである。一対の切り欠き６ａ，６ｂは、実施例１においてはサブアンテナ４の長手方向に沿って対向するよう形成されたが、本実施例においてはサブアンテナ４の幅方向に沿って対向するよう形成されている。また、穴４ａの穴径は、穴４ａに挿入されるボス径よりも小さく形成されている。
【００３５】
このように、穴４ａの周囲ないし穴４ａに近接して切り欠き６ａ，６ｂを形成することにより、図１（Ａ）に示したようなボス３を穴４ａに挿入する際に穴４ａの変形度が高められ、サブアンテナ４取付上必要とされる保持力がさらに十分に確保される。
【実施例３】
【００３６】
図５は、本発明の実施例３に係り、サブアンテナ取付用の穴及びボスを複数設けた構成を説明するための図である。
【００３７】
図５を参照すると、図１（Ａ）に示したような第１の筐体１ａ側には、複数のボス、すなわち、嵌合用ボス１３ａとストッパー用ボス１３ｂが形成されている。一方、サブアンテナ１４には、複数の穴、すなわち、嵌合用穴１４ａとストッパー用穴１４ｂが形成されている。
【００３８】
嵌合用穴１４ａはサブアンテナ１４の長手方向に沿って延在する長穴であり、ストッパー用穴１４ｂはサブアンテナ１４の幅方向に沿って延在する長穴であって、両穴は互いに直交する方向に延在している。
【００３９】
組立時、円筒状の嵌合用ボス１３ａが嵌合用穴１４ａに嵌合することにより、サブアンテナ１４がその幅方向に位置決めされる。一方、長方体状のストッパー用ボス１３ｂがストッパー用穴１４ｂに嵌合することにより、サブアンテナ１４がその長手方向に位置決めされる。
【実施例４】
【００４０】
図６は、本発明の実施例４に係り、サブアンテナの外側を取付部とした構成を説明するための図である。
【００４１】
図６を参照すると、サブアンテナ２４の外側ないし縁部に、幅方向に対向する一対の穴、すなわち、第１の穴２４ａと第２の穴２４ｂが形成されている。第１の穴２４ａと第２の穴２４ｂの間に、両穴の変形度を高める切り欠き２６が形成されている。切り欠き２６は、サブアンテナ２４の長手方向に延在している。
【００４２】
第１の穴２４ａと第２の穴２４ｂの内法幅よりも、図１（Ａ）に示したような第１の筐体１ａ側に設けられ、両穴に嵌合する一対のボス、すなわち、第１のボス２３ａと第２のボス２３ｂの内法幅は広くされる。これによって、第１のボス２３ａと第２のボス２３ｂに挟持された状態でサブアンテナ２４が安定的に保持される。
【産業上の利用可能性】
【００４３】
本発明は、携帯電話、その他の携帯通信端末装置及びそれらの製造方法に好適に適用される。
【図面の簡単な説明】
【００４４】
【図１】（Ａ）〜（Ｃ）は、本発明の一実施例に係る通信端末装置の分割図である。
【図２】（Ａ）は、図１（Ａ）に示した第１の筐体に図１（Ｃ）に示したサブアンテナを取り付けた状態を示す図であり、（Ｂ）は（Ａ）の矢視Ａ拡大図である。
【図３】本発明の好ましい実施例に係る通信端末装置の部分図であり、ボスがサブアンテナの湾曲された部分の変形限度を規定するストッパ部となる様子を示す図である。
【図４】本発明の実施例２に係り、サブアンテナの穴及び切り欠きの好ましい形状を説明するための図である。
【図５】本発明の実施例３に係り、サブアンテナ取付用の穴及びボスを複数設けた構成を説明するための図である。
【図６】本発明の実施例４に係り、サブアンテナの外側を取付部とした構成を説明するための図である。
【図７】従来例に係るサブアンテナの取付構造を説明するための図である。
【符号の説明】
【００４５】
１ａ  第１の筐体
１ｂ  第２の筐体
２  回路基板
２ａ  回路パターン
３  ボス
４  サブアンテナ
４ａ  穴（嵌合部）
４ｃ  接触部（湾曲部）
６ａ，６ｂ  切り欠き
１３ａ  嵌合用ボス
１３ｂ  ストッパー用ボス
１４  サブアンテナ
１４ａ  嵌合用穴
１４ｂ  ストッパー用穴
２３ａ  第１のボス
２３ｂ  第２のボス
２４  サブアンテナ
２４ａ  第１の穴（嵌合部）
２４ｂ  第２の穴（嵌合部）
２６  切り欠き
Ｌ  クリアランス
ａ  第１と第２のボス２３ａ，２３ｂの内法幅
ｂ  切り欠き２６の小径（幅）
【図１】
2005295116.tif 000003
【図２】
2005295116.tif 000004
【図３】
2005295116.tif 000005
【図４】
2005295116.tif 000006
【図５】
2005295116.tif 000007
【図６】
2005295116.tif 000008
【図７】
2005295116.tif 000009